(57)【要約】【課題】保管や運搬等の取り扱いが容易で、しかも現地搬入後に容易に組み立てることができるトラス合成床版を提供する。【解決手段】ＰＣａ床版２と、ＰＣａ床版２のコンクリート打ち継ぎ面２ａに突設された複数のトラス鉄筋３とから構成する。ＰＣａ床版２のコンクリート打ち継ぎ面２ａに埋込インサート４を埋設する。トラス鉄筋３は上端筋３ａと複数の下端筋３ｂ，３ｂと上端筋３ａと下端筋３ｂ，３ｂとの間に配筋された複数のラチス筋３ｃとから断面ほぼ三角形の立体トラス状に形成する。トラス鉄筋３の下端筋３ｂ，３ｂをＰＣａ床版２のコンクリート打ち継ぎ面２ａに添え付ける。トラス鉄筋３の下端筋３ｂ，３ｂを複数の下端筋把持具５と固定ボルト６によってＰＣａ床版２のコンクリート打ち継ぎ面２ａに固定する。固定ボルト６は埋込インサート４に螺合する。【選択図】図１
2011032738.tif 000002
【特許請求の範囲】
【請求項１】
ＰＣａ床版と、当該ＰＣａ床版のコンクリート打ち継ぎ面に突設された複数のトラス鉄筋とからなるトラス合成床版において、ＰＣａ床版のコンクリート打ち継ぎ面に埋設された埋込インサートと、トラス鉄筋の下端筋を把持する複数の下端筋把持具と、当該下端筋把持具をＰＣａ床版のコンクリート打ち継ぎ面に固定する複数の固定ボルトとを備え、前記固定ボルトは前記埋込インサートに螺合されてなることを特徴とするトラス合成床版。
【請求項２】
ＰＣａ床版のコンクリート打ち継ぎ面に設けられた凹部内にトラス鉄筋の下端筋が設置されてなることを特徴とする請求項１記載のトラス合成床版。
【請求項３】
ＰＣａ床版とＰＣａ床版のコンクリート打ち継ぎ面に突設されたトラス鉄筋とからなるトラス合成床版において、前記ＰＣａ床版のコンクリート打ち継ぎ面に設けられた凹部にトラス鉄筋の下端筋が設置され、かつ固結材によって固定されてなることを特徴とするトラス合成床版。
【請求項４】
凹部はテーパ付き凹部であることを特徴とする請求項３記載のトラス合成床版。
【発明の詳細な説明】
【技術分野】
【０００１】
本発明はトラス合成床版に関し、運搬や保管等に際して嵩張らず取り扱いが容易で、しかも現地搬入後に容易に組み立てることができる。
【背景技術】
【０００２】
主に建築土木工事で用いられるプレキャストコンクリート床版(以下「ＰＣａ床版」)として、ＰＣａ床版本体とそのコンクリートの打ち継ぎ面に突設された複数のトラス鉄筋とからなるハーフＰＣａ床版が一般に知られ、工期短縮、コストダウンおよび高品質化などに寄与するため広く利用されている。
【０００３】
ハーフＰＣａ床版は、一般に鉄筋の加工工場でトラス鉄筋を製作し、それをＰＣａ床版成型工場に運搬し、そしてそこで成型されるＰＣａ床版と一体化することにより成型され、建設現場に搬入される。
【０００４】
例えば、特許文献１には  コンクリート板とそのコンクリートの打ち継ぎ面に突設されたトラス鉄筋とからなるハーフＰＣａ床版が開示されている。また、特許文献２と特許文献３には、既存床の上に複数のトラス鉄筋を設置し、当該トラス鉄筋を覆うように既存床の上にコンクリートを打設する既存床の補強構造について開示されている。
【先行技術文献】
【特許文献】
【０００５】
【特許文献１】特開２００４−１６２２９３号公報
【特許文献２】特開２００４−３２４２６２号公報
【特許文献３】特開２００７−１８２７２６号公報
【発明の概要】
【発明が解決しようとする課題】
【０００６】
しかし、この種のハーフＰＣａ床版に用いられるトラス鉄筋は特殊な機械によって製作され、しかもこの種のトラス鉄筋を製作できる工場は日本国内でも非常に少ない。このため、運搬コスト等を考慮するとハーフＰＣａ床版の成型工場は、鉄筋加工工場の近隣に建設されることが多くなり、結果としてコストパフォーマンスが低下するという課題があった。
【０００７】
また、ＰＣａ床版本体のコンクリート打ち継ぎ面側にトラス鉄筋が突設されているため、積層して保管したり運搬したりする等の際に、嵩張り取り扱いが困難である等の課題があった。
【０００８】
本発明は、以上の課題を解決するためになされたもので、保管や運搬等の取り扱いが容易で、しかも現地搬入後に容易に組み立てることのできるトラス合成床版を提供することを目的とする。
【課題を解決するための手段】
【０００９】
請求項１記載のトラス合成床版は、ＰＣａ床版と、当該ＰＣａ床版のコンクリート打ち継ぎ面に突設された複数のトラス鉄筋とからなるトラス合成床版において、ＰＣａ床版のコンクリート打ち継ぎ面に埋設された埋込インサートと、トラス鉄筋の下端筋を把持する複数の下端筋把持具と、当該下端筋把持具をＰＣａ床版のコンクリート打ち継ぎ面に固定する複数の固定ボルトとを備え、前記固定ボルトは前記埋込インサートに螺合されてなることを特徴とするものである。
【００１０】
本発明は、ＰＣａ床版とトラス鉄筋を別々に製作し、これらを現地搬入後に一体に組み立てられるようにしたことで、運搬や保管等の取り扱いを容易に行えるようにしたものである。
【００１１】
本発明によれば、ＰＣａ床版とトラス鉄筋は、トラス鉄筋の下端筋をＰＣａ床版のコンクリート打ち継ぎ面に複数の下端筋把持具とＰＣａ床版の打ち継ぎ面に埋設された埋込インサートに螺合される固定ボルトで固定することにより(乾式接合)一体に結合することできることで、現地搬入後容易に組み立てることができる。
【００１２】
なお、下端筋把持具またはＰＣａ床版のコンクリート打ち継ぎ面に下端筋を設置するための凹部を設けることにより、ＰＣａ床版とトラス鉄筋とを確実強固に結合することができる。
【００１３】
請求項２記載のトラス合成床版は、請求項１記載のトラス合成床版において、ＰＣａ床版のコンクリート打ち継ぎ面に設けられた凹部内にトラス鉄筋の下端筋が設置されてなることを特徴とするものである。
【００１４】
トラス鉄筋の下端筋をＰＣａ床版のコンクリート打ち継ぎ面に形成した凹部内に設置して固定することで、トラス鉄筋をＰＣａ床版に確実強固に固定することができ、また下端筋把持具は固定ボルトを通すボルト孔のみを有するプレートでよく、下端筋把持具の製作が容易になる。
【００１５】
請求項３記載のトラス合成床版は、ＰＣａ床版とＰＣａ床版のコンクリート打ち継ぎ面に突設されたトラス鉄筋とからなるトラス合成床版において、前記ＰＣａ床版のコンクリート打ち継ぎ面に設けられた凹部にトラス鉄筋の下端筋が設置され、かつ凹部内に固結材が充填されてなることを特徴とするものである。
【００１６】
本発明は、上記するような金具や固定ボルトを使用しないでＰＣａ床版とトラス鉄筋とを一体的に結合できるようにしたもので、この場合の固結材にはエポキシ樹脂などを利用することができる。
【００１７】
請求項４記載のトラス合成床版は、請求項３記載のトラス合成床版において、凹部はテーパ付き凹部であることを特徴とするものである。本発明は、下端筋を設置する凹部をテーパ付き凹部、いわゆる蟻溝とすることにより引抜きに対する抵抗力を増大させたものである。
【発明の効果】
【００１８】
本発明によれば、ＰＣａ床版とトラス鉄筋が別々に形成され、かつ現地搬入後、一体に組み立てられるように構成されていることで、取り扱いがきわめて容易である等の効果がある。
【００１９】
また、トラス鉄筋は、下端筋を把持する下端筋把持具とＰＣａ床版の打ち継ぎ面に埋設された埋込みインサートに螺合される固定ボルトによってＰＣａ版と一体化されているので、容易に組み立てることができる。
【図面の簡単な説明】
【００２０】
【図１】トラス合成床版の一実施形態を示し、(ａ)は長軸方向の縦断面図、(ｂ)は図(ａ)におけるＡ−Ａ線断面図、(ｃ)は図(ｂ)における一部拡大図である。
【図２】トラス合成床版の他の実施形態を示し、(ａ)は長軸方向の縦断面図、(ｂ)は図(ａ)におけるＡ−Ａ線断面図、図(ｃ)は図(ｂ)における一部拡大図である。
【図３】(ａ)，(ｂ)は、本発明の他の実施形態を示す図１(ａ)におけるＡ−Ａ線一部断面図である。
【発明を実施するための形態】
【００２１】
図１(ａ)〜(ｃ)は、本発明の一実施形態を示し、図においてトラス合成床版１は、ＰＣａ床版２と複数のトラス鉄筋３とから構成されている。ＰＣａ床版２は矩形版状に形成され、そのコンクリート打ち継ぎ面２ａに複数の埋込インサート４が埋設されている。
【００２２】
埋込インサート４は、後述するトラス鉄筋３の各下端筋３ｂの両側の、下端筋３ｂの中間部分と両端部分の少なくとも三箇所に埋設されている。
【００２３】
トラス鉄筋３は、ＰＣａ床版２の長軸方向に連続し、かつＰＣａ床版２の長軸直角方向に所定間隔をおいて複数配置されている。
【００２４】
また、トラス鉄筋３は上端筋３ａと複数の下端筋３ｂ，３ｂと上端筋３ａと下端筋３ｂ，３ｂとの間にそれぞれ配筋された複数のラチス筋３ｃとから断面ほぼ三角形の立体トラス状に形成されている。
【００２５】
下端筋３ｂ，３ｂはＰＣａ床版２のコンクリート打ち継ぎ面２ａに添え付けられ、かつ複数の下端筋把持具５と固定ボルト６によってＰＣａ床版２のコンクリート打ち継ぎ面２ａに固定されている。
【００２６】
下端筋把持具５は、トラス鉄筋３の長軸直角方向に長い矩形板状に形成され、下端面にトラス鉄筋３の下端筋３ｂ，３ｂをそれぞれ収容する溝状の凹部５ａ，５ａが形成され、さらに凹部５ａ，５ａ間と両端部にボルト孔５ｂがそれぞれ形成されている。
【００２７】
そして、下端筋把持具５は、下端筋３ｂ，３ｂの上からＰＣａ床版２のコンクリート打ち継ぎ面２ａの上に添え付けられ、凹部５ａ，５ａ内に下端筋３ｂ，３ｂがそれぞれ設置され、かつ各ボルト孔５ｂから埋込インサート４内に固定ボルト６が締め付けられている。
【００２８】
こうして、ＰＣａ床版２とトラス鉄筋３が一体に結合されていることにより、トラス合成床版１、すなわちハーフＰＣａ床版が構成されている。
【００２９】
なお、図２(ａ)〜(ｃ)に図示するように、下端筋把持具５の凹部５ａ，５ａを無くし、ＰＣａ床版２のコンクリート打ち継ぎ面２ａに下端筋３ｂ，３ｂを収容するための凹部２ｂ，２ｂを形成してもよい。
【００３０】
この実施形態によれば、トラス鉄筋３をＰＣａ床版２のコンクリート打ち継ぎ面２ａに確実強固に固定することができ、また下端筋把持具５は固定ボルト６を通すボルト孔５ｂのみを有するプレートでよく、下端筋把持具５を容易に製作することができる。
【００３１】
図３(ａ)，(ｂ)は、本発明の他の実施形態を示し、ＰＣａ床版２のコンクリート打ち継ぎ面２ａに複数の凹部２ｃ，２ｃがＰＣａ床版２の長軸方向に連続して形成されている。
【００３２】
そして、トラス鉄筋３の下端筋３ｂ，３ｂが凹部２ｂ，２ｂ内にそれぞれ設置され、かつその後から凹部２ｂ内にエポキシ樹脂７が充填されている。また、図４においてはさらに、凹部２ｂとしてテーパ付き凹部、いわゆる蟻溝が形成されている。このようにしてＰＣａ床版２とトラス鉄筋３が一体化されることによりトラス合成床版１、すなわちハーフＰＣａ床版が構成されている。
【産業上の利用可能性】
【００３３】
本発明は、ＰＣａ床版とトラス鉄筋を別々に製作し、現地で一体に組み立てることにより運搬や保管等の取り扱いの容易なトラス合成床版を提供することができる。
【符号の説明】
【００３４】
１  トラス合成床版
２  ＰＣａ床版
２ａ  コンクリートの打ち継ぎ面
２ｂ  凹部
２ｃ  凹部
３  トラス鉄筋
３ａ  上端筋
３ｂ  下端筋
３ｃ  ラチス筋
４  埋込インサート
５  下端筋把持具
６  固定ボルト
７  固結材
【図１】
2011032738.tif 000003
【図２】
2011032738.tif 000004
【図３】
2011032738.tif 000005